(57)【要約】【課題】従来のものよりもゴム製履物の強度および耐久性を維持しながら軽量化を図ることができると共に、表面に現れたデザインが平面的ではなく消費者への訴求力を向上させることができるゴム製履物の製造方法およびゴム製履物を提供すること。【解決手段】ゴムのコンパウンドを製造する配合・ゴム混練り工程Ｓ１００と、そのコンパウンドから一対のゴムシートに成形し、その一対のゴムシートを圧延しながらゴムシート間に表面に凹凸模様を有する生地を挟んで接着して少なくとも表側にその生地の凹凸模様が現れた凹凸付き生地サンドゴムシートを製作する圧延・凹凸付き生地サンド工程Ｓ２００と、凹凸付き生地サンドゴムシートを複数のパーツ部材に裁断する裁断工程Ｓ３００と、立体足型に裏布を被せる裏布被覆工程Ｓ４００と、複数のパーツ部材を立体足型に被せた裏布に貼り付ける成形工程Ｓ５００と、加硫工程Ｓ６００とを有する。【選択図】図１
2015100676.tif 000002
【特許請求の範囲】
【請求項１】
立体足型に裏布を被せる裏布被覆工程と、
表面に凹凸模様を有する生地を一対のゴムシートで挟んで接着し、かつ、少なくとも表側にその生地の凹凸模様が現れた凹凸付き生地サンドゴムシートから裁断された複数のパーツ部材を、立体足型に被せた裏布に貼り付けてゴム製履物の形状に成形する成形工程と、
その成形工程によって成形された成形品に対し加硫を行う加硫工程と、
を有することを特徴とするゴム製履物の製造方法。
【請求項２】
請求項１記載のゴム製履物の製造方法において、
さらに、
一対のゴムシートそれぞれを圧延しながらその間に表面に凹凸模様を有する生地を挟んで接着し、かつ、少なくとも表側にその生地の凹凸模様が現れた凹凸付き生地サンドゴムシートを製作する圧延・凹凸付き生地サンド工程と、
少なくとも表側にその生地の凹凸模様が現れた凹凸付き生地サンドゴムシートを、ゴム製履物を構成する複数のパーツ部材に裁断する裁断工程と、
を有することを特徴とするゴム製履物の製造方法。
【請求項３】
請求項１または請求項２に記載のゴム製履物の製造方法によって製造されたゴム製履物。
【発明の詳細な説明】
【技術分野】
【０００１】
本発明は、農作業や、工事、ガーデニングなどに使用する作業用長靴や、雨天時用の長靴、ファッション、釣りやボート等のレジャー用のブーツ等のゴム製履物であって、軽量かつ耐久性に優れたゴム製履物の製造方法およびゴム製履物に関する。
【背景技術】
【０００２】
農作業などに使用する作業用長靴等のゴム製履物の製造方法として、例えば、特許文献１の従来技術およびその図２に記載されているように、金属製の立体足型にゴム編みの履き口とメリヤス生地本体等からなる原足を装着し、次に、ロール等で圧延された未加硫のパーツ部材である複数の固形ゴムシート片を、立体足型に装着された原足に接着剤を介して手作業によって貼り付ける。その後、原足に靴底部分を固着し、全体を熱加硫した後に立体足型から原足を取り外しゴム製履物である作業用長靴を完成させる方法がある。
【先行技術文献】
【特許文献】
【０００３】
【特許文献１】特開平０９−２９０４６９号公報
【発明の概要】
【発明が解決しようとする課題】
【０００４】
しかし、上述の特許文献１のゴム製履物の製造方法では、立体足型に装着したメリヤス生地等からなる原足に手作業によってパーツ部材である複数の固形ゴムシート片を、接着剤を介し貼り付ける方法を採用するため、所定の強度を得ようとすると、薄手のゴムシート片を多層に貼り付ける必要があるため、作業効率が低下するという問題がある。
【０００５】
その一方、厚手のゴムシート片を使用すると、作業効率の低下を防止しながら所定の強度を確保できるものの、ゴム製履物の重量が増加して、疲れ易いゴム製履物になったり、ゴムシート片が厚くなることによって折切れし易くなり、ゴム製履物の耐久性が悪化するという問題が発生する。
【０００６】
その一方、軽量化のためにゴム厚を薄くするよりも、配合時に添加する薬品等の減量、低比重品への置き換えといったゴム配合剤の検討が主に行われるが、ゴム配合物には加硫剤、加硫助剤、加硫促進剤、老化防止剤、補強剤などが必要不可欠であり、かつ必要量もほぼ決まっており、大きく比重を小さくするためには、発泡体とするか、軽量化剤を添加して比重をコントロールするしかなかった。そして、この方法を用いると、軽量化という観点のみであれば有効といえるが、履物であり用途としてはハードな環境となることを考慮すると、十分な強度および耐久性を持たせることはできなかった。
【０００７】
また、最近は、これらのゴム製履物においてもデザイン性やファッション性が要求されており、ゴムシートの段階で各種デザインを描いたり、あるいは完成したゴム製履物に各種デザインを描いたシートを貼り付けるなどして、デザイン性やファッション性を高めているものの、平面的で消費者への訴求力が弱いという問題点がある。
【０００８】
そこで、本発明は、このような問題点に着目してなされもので、従来のものよりもゴム製履物の強度および耐久性を維持しながら軽量化を図ることができると共に、表面に現れたデザインが平面的ではなく消費者への訴求力を向上させることができるゴム製履物の製造方法およびゴム製履物を提供することを目的とする。
【課題を解決するための手段】
【０００９】
前記課題を解決するため、本発明に係るゴム製履物の製造方法は、立体足型に裏布を被せる裏布被覆工程と、表面に凹凸模様を有する生地を一対のゴムシートで挟んで接着し、かつ、少なくとも表側にその生地の凹凸模様が現れた凹凸付き生地サンドゴムシートから裁断された複数のパーツ部材を、立体足型に被せた裏布に貼り付けてゴム製履物の形状に成形する成形工程と、その成形工程によって成形された成形品に対し加硫を行う加硫工程と、を有することを特徴とする。
ここで、さらに、一対のゴムシートそれぞれを圧延しながらその間に表面に凹凸模様を有する生地を挟んで接着し、かつ、少なくとも表側にその生地の凹凸模様が現れた凹凸付き生地サンドゴムシートを製作する圧延・凹凸付き生地サンド工程と、少なくとも表側にその生地の凹凸模様が現れた凹凸付き生地サンドゴムシートを、ゴム製履物を構成する複数のパーツ部材に裁断する裁断工程とを有するとさらに良い。
また、本発明に係るゴム製履物は、上述のゴム製履物の製造方法によって製造されたゴム製履物である。
【発明の効果】
【００１０】
本発明のゴム製履物の製造方法およびゴム製履物では、表面に凹凸模様を有する生地を一対のゴムシートで挟んで接着しながら圧延し、少なくとも表側にその生地の凹凸模様が現れた凹凸付き生地サンドゴムシートから裁断された複数のパーツ部材を、立体足型に被せた裏布に貼り付けてゴム製履物の形状に成形するようにしたため、一対のゴムシートの素材や調合を変えなくても、一対のゴムシートで挟んだ生地の引張り強度や重量、厚さ、伸縮率等により複数のパーツ部材の引張り強度や重量、厚さ、伸縮率等を調整できるので、従来のものよりもゴム製履物の強度および耐久性を維持しながら軽量化を図ることができる。
また、複数のパーツ部材の基になる凹凸付き生地サンドゴムシートは、一対のゴムシートで表面に凹凸模様を有する生地を挟んで接着し、少なくとも表側にその生地の凹凸模様が現れるように構成されているため、複数のパーツ部材を裏布に貼り付けて成形したゴム製履物の表面にはその生地の凹凸模様が現れることになるので、平面的なデザインと比較して消費者への訴求力を向上させることができる。
【図面の簡単な説明】
【００１１】
【図１】本発明に係る実施形態のゴム製履物の製造方法の各工程を示す工程図である。
【図２】実施形態のゴム製履物の製造方法における圧延・凹凸付き生地サンド工程Ｓ２００の概略を示す概略構成図である。
【図３】実施形態のゴム製履物の製造方法における圧延・凹凸付き生地サンド工程Ｓ２００によって製作された凹凸付き生地サンドゴムシートの一部切欠平面図である。
【図４】実施形態のゴム製履物の製造方法における圧延・凹凸付き生地サンド工程Ｓ２００によって製作された凹凸付き生地サンドゴムシートの斜視図である。
【図５】図３におけるＡ−Ａ線断面図である。
【図６】実施形態のゴム製履物の製造方法における裁断工程Ｓ３００で裁断されたゴム製履物を構成する複数のパーツ部材を示す図である。
【図７】実施形態のゴム製履物の製造方法における裏布被覆工程Ｓ４００において使用する立体足型の一例を斜視図である。
【図８】実施形態のゴム製履物の製造方法における裏布被覆工程Ｓ４００において立体足型に裏布を装着した状態を示す斜視図である。
【図９】実施形態のゴム製履物の製造方法における成形工程Ｓ５００において裏布に後けん部材を貼り付けた状態を示す斜視図である。
【図１０】実施形態のゴム製履物の製造方法における成形工程Ｓ５００において裏布に後けん部材の上から胴部を貼り付けた状態を示す斜視図である。
【図１１】実施形態のゴム製履物の製造方法における成形工程Ｓ５００において胴部に接合部分で一部が重なるように甲部を貼り付けた状態を示す斜視図である。
【図１２】実施形態のゴム製履物の製造方法における成形工程Ｓ５００において胴部と甲部の合部分に目止めテープを貼り付けた状態を示す斜視図である。
【図１３】実施形態のゴム製履物の製造方法における成形工程Ｓ５００において胴部の後側の接合部分に目止めテープを貼り付けた状態を示す斜視図である。
【図１４】実施形態のゴム製履物の製造方法における成形工程Ｓ５００において靴底を貼り付けた状態を示す図である。
【図１５】実施形態のゴム製履物の製造方法によって製造されたゴム製履物の一例を示す図である。
【発明を実施するための形態】
【００１２】
以下、本発明に係るゴム製履物の製造方法およびゴム製履物の実施の形態を、添付図面を参照しながら詳細に説明する。なお、下記に説明する実施形態はあくまで本発明の一例であり、本発明は下記の実施形態に限定されるものではなく、本発明の技術思想の範囲内で適宜変更可能である。
【００１３】
本実施形態のゴム製履物の製造方法は、図1に示すように、配合・ゴム混練り工程Ｓ１００と、圧延・凹凸付き生地サンド工程Ｓ２００と、裁断工程Ｓ３００と、裏布被覆工程Ｓ４００と、成形工程Ｓ５００と、加硫工程Ｓ６００とを有する。
【００１４】
（１）配合・ゴム混練り工程Ｓ１００
配合・ゴム混練り工程Ｓ１００は、従来技術と同じで周知で、ゴムの配合と混練りを行う工程で、ゴムの原料として、天然ゴムや、各種合成ゴム、又は天然ゴムと各種合成ゴムのブレンドであっても問題なく、その他の配合剤の種類や添加量についても性能に不都合を与えない限り制限されるものではないが、エチレンプロピレンゴム（ＥＰＴ）等が配合されていることが望ましい。このようなゴムを、オープンロールやニーダー、バンバリーなどの混練機を用いて分子鎖を切断しつつ、加硫剤、加硫助剤、加硫促進剤、老化防止剤、補強材、顔料などを練り込んでコンパウンド２ａ，２ｂを製造する。なお、このコンパウンド２ａ、２ｂから圧延・凹凸付き生地サンド工程Ｓ２００と裁断工程Ｓ３００とを経てゴム製履物１を構成する複数のパーツ部材を成形すると共に、別の工程により種々の厚さのシートやテープ状に加工する。これにはカレンダーロール、押し出し機を用いるのが一般的である。
【００１５】
（２）圧延・凹凸付き生地サンド工程Ｓ２００
圧延・凹凸付き生地サンド工程Ｓ２００は、例えば、図２に示すように、1番ロール１１ａ，１１ｂ〜５番ロール１５ａ，１５ｂと、ガイドロール１６，１８と、６番ロール１１７，１７ｂと、７番ロール１９ａ〜１３番ロール１９ｈ等が備えられたカレンダーロール１０によって、一対のゴムシート２１ａ，２１ｂを圧延しながらその間に表面に凹凸模様を有する生地３１を挟んで接着し、かつ、少なくとも表側にその生地３１の凹凸模様が現れた凹凸付き生地サンドゴムシート４を製造する。
【００１６】
具体的には、例えば図２に示すように、一対のゴムシート２１ａ，２１ｂのうち一方のゴムシート２１ａは、配合・ゴム混練り工程Ｓ１００により製造した一方のゴムのコンパウンド２ａを基に1番ロール１１ａ〜５番ロール１５ａによって圧延しながらに成形され、ガイドロール１６へ送り出される。
【００１７】
一方、一対のゴムシート２１ａ，２１ｂのうち他方のゴムシート２１ｂは、配合・ゴム混練り工程Ｓ１００により製造した他方のゴムのコンパウンド２ｂを基に1番ロール１１ｂ〜５番ロール１５ｂによって圧延しながら成形され、６番ロール１７ａ，１７ｂとの間に送り出される。
【００１８】
また、一対のゴムシート２１ａ，２１ｂ間に挟まれる生地３１は、それが巻き付けられた生地送り出し装置３からガイドロール１６の回転によってテンションをかけながら引出され、ゴムシート２１ａの裏側に接着剤などで貼り付けられた状態で６番ロール１７ａ，１７ｂとの間に送り出される。そのため、生地３１には、別工程で予めその両面に接着剤（糊）が塗布されており、最終工程の加硫工程Ｓ６００で堅固に加硫接着される。
【００１９】
生地３１の材質としては、凹凸があって、かつ、接着剤（糊）引き可能であり、圧延・凹凸付き生地サンド工程Ｓ２００やその後の各工程Ｓ３００〜Ｓ６００で不具合をもたらさず、一対のゴムシート２１ａ，２１ｂとの接着に問題がなければ、その材質が特定されるものではない。例えば、シルクやコットンなどの天然繊維や、ナイロン、ポリエステルなどの合成繊維など特にその素材にはこだわらないが、ゴムシート２１ａ，２１ｂよりも比重が小さいものが好ましい。例えば、洋服やカーテン、マット等の生地として使用される安価な凹凸模様のあるレース生地などが使用できる。
【００２０】
６番ロール１７ａ，１７ｂのところでは、裏側に生地３１が貼り付けられたゴムシート２１ａと他方のゴムシート２１ｂが送られてきて、６番ロール１７ａ，１７ｂのところで、一対のゴムシート２１ａ，２１ｂの間で表面に凹凸模様を有する生地３１を挟むように圧着して、凹凸付き生地サンドゴムシート４を製作する。
【００２１】
その後、凹凸付き生地サンドゴムシート４は、図２に示すように、ガイドロール１８を介して７番ロール１９ａ〜１３番ロール１９ｈに送られ、さらに時間を掛けての圧着や圧延処理などが施されて、少なくとも表側に生地３１の凹凸模様が現れた複数のパーツ部材の元になる凹凸付き生地サンドゴムシート４が完成する。
【００２２】
なお、凹凸付き生地サンドゴムシート４では、表側だけでなく、裏側に生地３１の凹凸模様が現れても勿論良い。また、凹凸付き生地サンドゴムシート４の裏側よりも表側に生地３１の凹凸模様が確実に現れるように、表側のゴムシート２１ａの厚さを、裏側のゴムシート２１ｂの厚さよりも薄くなるように、表側（上側）のゴムシート２１ａを圧延する1番ロール１１ａ〜５番ロール１５ａと、裏側（下側）のゴムシート２１ｂを圧延する1番ロール１１ｂ〜５番ロール１５ｂの間隔や圧力を調整しても良い。また、少なくとも表側（上側）のゴムシート２１ａを透明なゴムによって製作することにより、一対のゴムシート２１ａ，２１ｂの間で挟んだ生地３１の平坦部３１ｃ（図３参照。）の模様がゴムシート２１ａを透けて表側に現れるようにすることもできる。
【００２３】
図３は、圧延・凹凸付き生地サンド工程Ｓ２００によって製作された凹凸付き生地サンドゴムシート４の一部切欠平面図、図４は凹凸付き生地サンドゴムシート４の斜視図、図５は図３におけるＡ−Ａ線断面図である。
【００２４】
図３〜図５から明らかなように凹凸付き生地サンドゴムシート４の少なくとも表側には、一対のゴムシート２１ａ，２１ｂの間で挟んだ生地３１の例えば太幅凸状部３１ａや細幅凸状部３１ｂ、平坦部３１ｃによる凹凸によって太幅凸状部４１ａや細幅凸状部４１ｂが浮き上がって現れ、その太幅凸状部４１ａおよび細幅凸状部４１ｂによって凹凸模様が形成される。つまり、表面にデザインされた凹凸模様を有する生地３１を使用して凹凸付き生地サンドゴムシート４を製作すれば、図３〜図５に示すようにその生地３１の表面にデザインされた凹凸模様が、凹凸付き生地サンドゴムシート４の表側に立体的に浮き上がって現われることになる。
【００２５】
（３）裁断工程Ｓ３００
裁断工程Ｓ３００では、圧延・凹凸付き生地サンド工程Ｓ２００によって表面にデザインされた凹凸模様が現れた凹凸付き生地サンドゴムシート４を、ゴム製履物１を構成する複数のパーツ部材に裁断する。ここで、この例では、凹凸付き生地サンドゴムシート４を、例えば、図６に示すような胴部４１と甲部４２との２つのパーツ部材に裁断する。
【００２６】
そのため、生地３１の太幅条部３１ａと小幅条部３１ｂによって、胴部４１と甲部４２の少なくとも表側にも、図６に示すように、それぞれ太幅条部４１ａ，４２ａと、小幅条部４１ｂ，４２ｂが形成されて、生地３１の模様と同じ凸凹模様が形成されることになる。なお、凹凸付き生地サンドゴムシート４は、胴部４１と甲部４２の２つのパーツ以外に裁断しても勿論良い。
【００２７】
（４）裏布被覆工程Ｓ４００
裏布被覆工程Ｓ４００では、従来製法と同じ工程であり、図７に示すようなアルミ等の軽量な金属性等の立体足型６に、図８に示すようにメリヤスやポリエステル繊維等の靴下状の裏布（原足）８を被せる。
【００２８】
（５）成形工程Ｓ５００
成形工程Ｓ５００では、まず、図９に示すように裏布被覆工程Ｓ４００によって立体足型６に被せた裏布（原足）８に、例えば、後けん部材７４を貼付け、次いでその上から図１０に示すように裁断工程Ｓ３００によって凹凸付き生地サンドゴムシート４を裁断して少なくとも表側に凹凸模様のある胴部４１を接着剤などにより貼り付ける。なお、図１０において、５２は、胴部４１における後側の接合部分である。また、図示はしないが、立体足型６に被せた裏布（原足）８の底部分に中底を接着剤で固着する。なお、図１０以降では、図示の便宜上、胴部４１の表側に現れている凹凸模様は一部だけ図示するが、甲部４２では省略するが、甲部４２の表側にも図６に示した通り胴部４１の表側と同様に凹凸模様が現れている。
【００２９】
次いで成形工程Ｓ５００では、裁断工程Ｓ３００によって凹凸付き生地サンドゴムシート４から裁断した凹凸模様のある甲部４２を、図１１に示すように立体足型６に被せた裏布（原足）８に胴部４１との接合部分５１で重なるように貼り付ける。
【００３０】
さらに成形工程Ｓ５００では、図１２に示すように胴部４１と甲部４２の接合部分５１に必要あれば防水や補強等を目的とした目止めテープ７１を貼り付けると共に、さらに図１３に示すように胴部４１の後側の接合部分５２に目止めテープ７２を貼り付け、最後に図１４に示すように底部分に靴底７５を固着する。なお、目止めテープ７１，７２などは任意のものであり、適宜省略可能である。また、目止めテープ７１，７２は薄めで、胴部４１と甲部４２の表側に現れた生地３１の凹凸模様が目止めテープ７１，７２を貼り付けても、目止めテープ７１，７２の表面に現れるものが好ましい。
【００３１】
（６）加硫工程Ｓ６００
最終の加硫工程Ｓ６００では、成形工程Ｓ５００で成形した成形品に対し熱や圧力をかけて加硫させ、その加硫後に立体足型６から取り外す。この加硫工程Ｓ６００により、ゴム製履物１に熱と圧力をかけることで架橋が進行し、ゴム弾性が発生して製品としてのゴム製履物１となる。なお、必要あれば、図１５に示すように、ゴム製履物１の履き口に履き口テープ７６を縫付けたり、靴底７５の周りに底周り補強テープ７７を接着する等しても良いし、履き口テープ７６や底周り補強テープ７７の接着などは、この加硫工程Ｓ６００ではなく、その前の成形工程Ｓ５００の段階で靴底７５の固着前後に実行しても良い。
【００３２】
以上説明したように、本実施形態のゴム製履物の製造方法およびゴム製履物１では、圧延・凹凸付き生地サンド工程Ｓ２００によって一対のゴムシート２１ａ，２１ｂそれぞれを圧延しながらその間に表面に凹凸模様を有する生地３１を挟んで接着することによって、少なくとも表側に生地３１の凹凸模様が現れた凹凸付き生地サンドゴムシート４を製作し、続く裁断工程Ｓ３００によって凹凸模様が現れた胴部４１と甲部４２等のパーツ部材に裁断して、成形工程Ｓ５００においてその凹凸模様が現れたパーツ部材を立体足型６に被せた裏布８に貼り付けてゴム製履物１の形状に成形する。
【００３３】
そのため、ゴム製履物１の表面の胴部４１と甲部４２には、生地３１の凹凸模様が立体的なデザインとして現れるので、平面的なデザインと比較して消費者への訴求力を向上させることができる。
【００３４】
また、本実施形態のゴム製履物の製造方法およびゴム製履物１では、表面に凹凸模様を有する生地３１を一対のゴムシート２１ａ，２１ｂで挟んで接着しながら圧延し、少なくとも表側にその生地３１の凹凸模様が現れた凹凸付き生地サンドゴムシート４を製作し、凹凸付き生地サンドゴムシート４を裁断してゴム製履物１のパーツ部材である胴部４１と甲部４２を製作するようにしたため、一対のゴムシート２１ａ，２１ｂの素材や調合を変えなくても、その間に挟む生地３１の引張り強度や重量、厚さ、伸縮率等によりゴム製履物１の複数のパーツ部材である胴部４１と甲部４２の引張り強度や重量、厚さ、伸縮率も調整することができる。その結果、一対のゴムシート２１ａ，２１ｂの素材や調合を変えずに、一対のゴムシート２１ａ，２１ｂの間に挟む生地３１を変えることによって、従来のものよりもゴム製履物１の強度および耐久性を維持しながら軽量化を図ることが可能となる。
【００３５】
特に、本実施形態のゴム製履物の製造方法およびゴム製履物１によれば、シルクやコットンなどの天然繊維やナイロン、ポリエステルなどの合成繊維などのゴムシート２１ａ，２１ｂよりも比重が小さい生地３１を一対のゴムシート２１ａ，２１ｂで挟んで接着しながら圧延して表側にその生地の凹凸模様が現れた凹凸付き生地サンドゴムシート４を製作するため、その圧延の際、生地３１が凹凸付き生地サンドゴムシート４の補強材となり、生地３１の両側のゴムシート２１ａ，２１ｂを使用可能限界まで薄くすることが可能となる。その結果、凹凸付き生地サンドゴムシート４が曲げ易くなり、かつ、軽量化されるので、従来のものよりも疲れ難く、また、しゃがみ易く、かつ、コンパクトで収納や持ち運びが楽なゴム製履物１を提供できる。
【００３６】
また、一対のゴムシート２１ａ，２１ｂ間に挟む生地３１はシルクやコットンなどの天然繊維やナイロン、ポリエステルなどの合成繊維などから製作しているため、その繊維間には隙間を有すると共に、また生地３１表面の凹凸模様を形成する太幅凸状部３１ａや細幅凸状部３１ｂ、平坦部３１ｃ等によってゴムシート２１ａ，２１ｂとの間に隙間が生じて空気層が形成される場合が多い。そのため、この点でも従来のものよりゴム製履物１を軽量化できると共に、保温効果を向上させることもできる。ただし、圧延・凹凸付き生地サンド工程Ｓ２００においてカレンダーロール１０により一対のゴムシート２１ａ，２１ｂ間に生地３１を挟んで圧着する際、空気を押し出しながらゴムシート２１ａ，２１ｂ間に空気層が極力生じないように圧延することも可能であるが、この場合でも上述したように比重の点から従来のものよりゴム製履物１を軽量化できると共に、ゴムよりも生地のほうが熱伝導率が小さいので、本実施形態のゴム製履物１のほうが従来のものよりも保温効果が向上する。
【００３７】
また、一対のゴムシート２１ａ，２１ｂまたは凹凸付き生地サンドゴムシート４を薄くかつ軽量化できるので、屈曲部にかかる応力が小さくなると共に、生地３１と一対のゴムシート２１ａ，２１ｂとの接着も良くなるので、折切れ等し難くなり、ゴム製履物１の耐久性が向上する。
【００３８】
なお、本実施形態のゴム製履物の製造方法の説明では、配合・ゴム混練り工程Ｓ１００〜加硫工程Ｓ６００の全てを実施するものとして説明したが、これは、配合・ゴム混練り工程Ｓ１００〜加硫工程Ｓ６００の全てを一箇所で実施するという意味ではない。つまり、配合・ゴム混練り工程Ｓ１００〜裁断工程Ｓ３００までの工程をある箇所で実行し、他の箇所でその裁断工程Ｓ３００によって凹凸付き生地サンドゴムシート４を裁断した胴部４１と甲部４２の２つのパーツ部材を元に裏布被覆工程Ｓ４００〜加硫工程Ｓ６００を実行してゴム製履物１を完成させるようにしても良いし、それ以外に配合・ゴム混練り工程Ｓ１００と圧延・凹凸付き生地サンド工程Ｓ２００とをある箇所で実施し、別の箇所で裁断工程Ｓ３００〜加硫工程Ｓ６００を実行してゴム製履物１を完成させるようにしても勿論良い。
【符号の説明】
【００３９】
１  ゴム製履物
２ａ，２ｂ  コンパウンド
２１ａ，２１ｂ  ゴムシート
３  生地送り出し装置
３１  生地
４  凹凸付き生地サンドゴムシート
４１  胴部
４２  甲部
５１，５２  接合部分
６  立体足型
７１，７２  目止めテープ
７５  靴底
７６  履き口テープ
７７  底周り補強テープ
８  裏布
１０  カレンダーロール
１２ａ〜１５ａ，１２ｂ〜１５ｂ，１７ａ，１７ｂ，１９ａ〜１９ｈ  １番ロール〜１３番ロール
１６，１８  ガイドロール
【図１】
2015100676.tif 000003
【図２】
2015100676.tif 000004
【図３】
2015100676.tif 000005
【図４】
2015100676.tif 000006
【図５】
2015100676.tif 000007
【図６】
2015100676.tif 000008
【図７】
2015100676.tif 000009
【図８】
2015100676.tif 000010
【図９】
2015100676.tif 000011
【図１０】
2015100676.tif 000012
【図１１】
2015100676.tif 000013
【図１２】
2015100676.tif 000014
【図１３】
2015100676.tif 000015
【図１４】
2015100676.tif 000016
【図１５】
2015100676.tif 000017
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
裏側に裏布が貼り付けられた裏布付きゴムシートからなり、別々のパーツ部材に分けられた胴部と甲部とを、胴部に対し曲がった方向に甲部を取り付けた靴下形状の中間品を製造する中間品製造工程と、
その中間品製造工程によって製造された靴下形状の中間品をゴム製履物の形状をした立体足型に嵌めてゴム製履物の形状に成形して必要あれば仕上げ部材を貼り付ける共に、中間品の底部分に靴底を固着する成形工程と、
その成形工程によって成形された成形品を加硫する加硫工程とを有することを特徴とするゴム製履物の製造方法。
【請求項２】
請求項１記載のゴム製履物の製造方法において、
さらに、
ゴムシートを圧延しながらその裏側に裏布を張付ける圧延・裏布貼付け工程と、
裏布が張付けられたゴムシートを、ゴム製履物を構成する複数のパーツ部材に裁断する裁断工程と、
を有することを特徴とするゴム製履物の製造方法。
【請求項３】
請求項１または請求項２に記載のゴム製履物の製造方法によって製造されたゴム製履物。
【手続補正２】
【補正対象書類名】明細書
【補正対象項目名】０００８
【補正方法】変更
【補正の内容】
【０００８】
前記課題を解決するため、本発明に係るゴム製履物の製造方法は、裏側に裏布が貼り付けられた裏布付きゴムシートからなり、別々のパーツ部材に分けられた胴部と甲部とを、胴部に対し曲がった方向に甲部を取り付けた靴下形状の中間品を製造する中間品製造工程と、その中間品製造工程によって製造された靴下形状の中間品をゴム製履物の形状をした立体足型に嵌めてゴム製履物の形状に成形して必要あれば仕上げ部材を貼り付ける共に、中間品の底部分に靴底を固着する成形工程と、その成形工程によって成形された成形品を加硫する加硫工程とを有することを特徴とする。
ここで、さらに、ゴムシートを圧延しながらその裏側に裏布を張付ける圧延・裏布貼付け工程と、裏布が張付けられたゴムシートを、ゴム製履物を構成する複数のパーツ部材に裁断する裁断工程とを有しても良い。
また、本発明に係るゴム製履物は、上述のゴム製履物の製造方法によって製造されたゴム製履物である。
【手続補正３】
【補正対象書類名】明細書
【補正対象項目名】０００９
【補正方法】変更
【補正の内容】
【０００９】
本発明のゴム製履物の製造方法およびゴム製履物では、従来のような立体足型に装着した原足に接着剤を介し手作業によって複数のパーツ部材を貼り付ける方法ではなく、中間品製造工程により予め裏側に裏布が貼り付けられた裏布付きゴムシートからなる複数のパーツ部材を縫製などにより接合して靴下形状の中間品を製造しておき、その後の成形工程により中間品をゴム製履物の立体足型に嵌めてゴム製履物の形状に成形する。
つまり、本発明では、成形する前、すなわち靴下形状の中間品にする前に、複数のパーツ部材は、既に裏布付きゴムシートで構成されているので、裏布とゴムシートを貼り合わせながら圧延することができる。そのため、その圧延の際、裏布をゴムシートの補強材として利用して、ゴムシートを使用可能限界まで薄くでき、従来のものよりもゴム製履物の強度および耐久性を維持しながら軽量化を図ることができる。
また、裏布付きゴムシートからなり、別々のパーツ部材に分けられた胴部と甲部とを、胴部に対し曲がった方向に甲部を取り付けた靴下形状の中間品を立体足型に嵌める前に縫製などにより接合して製造しておくので、立体足型へ手作業で複数のパーツ部材を貼付けながら成形することが不要となり、接合部分（重なり部分または縫製部分）を最小化できるので、この点でも、従来のものよりもゴム製履物の強度および耐久性を維持しながら軽量化を図ることができる。
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
一対のゴムシートそれぞれを圧延しながらその間に表面に凹凸模様を有しその両面に接着剤が塗布された生地を挟んでローラによって圧延することによって接着して、少なくとも表側にその生地の凹凸模様が現れた凹凸付き生地サンドゴムシートを製作する圧延・凹凸付き生地サンド工程と、
少なくとも表側その生地の凹凸模様が現れた凹凸付き生地サンドゴムシートを、ゴム製履物を構成する複数のパーツ部材に裁断する裁断工程と、
立体足型に裏布を被せる裏布被覆工程と、
前記凹凸付き生地サンドゴムシートから裁断された複数のパーツ部材を、立体足型に被せた裏布に貼り付けてゴム製履物の形状に成形する成形工程と、
その成形工程によって成形された成形品に対し加硫を行う加硫工程とを有することを特徴とするゴム製履物の製造方法。
【請求項２】
請求項１記載のゴム製履物の製造方法によって製造されたゴム製履物。
【手続補正２】
【補正対象書類名】明細書
【補正対象項目名】０００９
【補正方法】変更
【補正の内容】
【０００９】
前記課題を解決するため、本発明に係るゴム製履物の製造方法は、一対のゴムシートそれぞれを圧延しながらその間に表面に凹凸模様を有しその両面に接着剤が塗布された生地を挟んでローラによって圧延することによって接着して、少なくとも表側にその生地の凹凸模様が現れた凹凸付き生地サンドゴムシートを製作する圧延・凹凸付き生地サンド工程と、少なくとも表側その生地の凹凸模様が現れた凹凸付き生地サンドゴムシートを、ゴム製履物を構成する複数のパーツ部材に裁断する裁断工程と、立体足型に裏布を被せる裏布被覆工程と、前記凹凸付き生地サンドゴムシートから裁断された複数のパーツ部材を、立体足型に被せた裏布に貼り付けてゴム製履物の形状に成形する成形工程と、その成形工程によって成形された成形品に対し加硫を行う加硫工程とを有することを特徴とする。
また、本発明に係るゴム製履物は、上述のゴム製履物の製造方法によって製造されたゴム製履物である。